(57)【特許請求の範囲】
【請求項１】
負荷の温度を検出するための、少なくともサーミスタを有する温度検出部と、コンデンサからなり温度設定を記憶する温度記憶部と、前記温度記憶部のコンデンサに温度設定部が並列に接続され、前記サーミスタ断線時に前記温度記憶部の記憶を解除する断線検出回路とを備えた電熱器具。
【請求項２】
複数のサーミスタを有する温度検出部に対し、断線検出回路を１個の比較器で構成した請求項１記載の電熱器具。
【発明の詳細な説明】
【０００１】
【発明の属する技術分野】
本発明は、サーミスタを有する電熱器具において、サーミスタの断線およびサーミスタの配線経路の断線を容易に検出し、温度制御装置への通電を止める安全制御回路を備えた電熱器具に関するものである。
【０００２】
【従来の技術】
従来、サーミスタの断線検出は、例えば特開昭６２−１０７０４号公報では図４に示すように、抵抗５２とサーミスタ５３を直列接続した温度検出部ＡＡと、可変抵抗５６からなる温度設定部ＢＢとを設け、抵抗６１と抵抗６２で分割する電圧を非反転入力とし、温度検出部ＡＡの出力電圧ＶＴＨを反転入力とする比較器６３と前記比較器６３の出力端に整流器６４のカソード側を接続した構成の断線検出回路ＤＤを有し、温度検出部ＡＡの出力電圧ＶＴＨと温度設定部ＢＢの出力電圧ＶＡＪと断線検出回路ＤＤの出力電圧ＶＤＤをそれぞれ抵抗５４，５５，６５を介して反転入力とし、抵抗５７と抵抗５８で分割した偏差基準電圧ＶＢＢを非反転入力とするオペアンプ６０とオペアンプ６０の反転入力端子と出力端子を接続し、増幅度Ｇを定める抵抗５９からなる加算回路ＣＣを備える構成により、サーミスタ５３の断線時に断線検出回路ＤＤの動作により、オペアンプ６０の出力端子電圧は上昇し、図５に示すように設定温度ＴＡＡに対し温度検出部ＡＡの検出温度がＴＡＡ’まで上昇することで温度制御装置においては温度を低下させるべく動作出来ると記載されている。
【０００３】
【発明が解決しようとする課題】
しかしながら、上記従来の構成では、断線検出回路が働いた場合、温度制御範囲内で働くことが考えられ、最小限の加熱を継続する。このことは温度制御装置への通電は続けられていることを意味し、使用者に異常（サーミスタの断線）であることが分かり難い、また複数のサーミスタの場合、サーミスタの数だけ断線検出回路が必要であるという課題を有していた。
【０００４】
本発明は、上記従来の課題を解決するためのものであり、非常に簡単な構成でサーミスタの断線検出を可能にする電熱器具を提供することを目的とする。
【０００５】
【課題を解決するための手段】
この課題を解決するために、本発明の電熱器具は、サーミスタを有する温度検出部と、温度設定を記憶する温度記憶部と、前記温度記憶部のコンデンサに温度設定部が並列に接続され、前記サーミスタ断線時に前記温度記憶部の記憶している温度を解除する断線検出回路とを備えた構成にしたものである。
【０００６】
この本発明によれば、断線検出回路が働いた場合、温度制御装置への通電は停止され、ムダな電力消費がなくなる。通電が停止されることで使用者に異常（サーミスタの断線）であることが簡単に分かる。また複数のサーミスタの場合、１個の断線検出回路で良い電熱器具が得られる。
【０００７】
【発明の実施の形態】
本発明の請求項１に記載の発明は、負荷の温度を検出し、少なくともサーミスタを有する温度検出部と、コンデンサからなり温度設定を記憶する温度記憶部と、前記温度記憶部のコンデンサに温度設定部が並列に接続され、前記サーミスタ断線時に前記温度記憶部の記憶している温度を解除する断線検出回路とを備えたものであり、断線検出回路が働いた場合、温度制御装置への通電を止めることができるという作用を有する。
【０００８】
本発明の請求項２に記載の発明は、請求項１に記載の発明において、複数のサーミスタを有する温度検出部に対し、前記断線検出回路を、１個の比較器で構成したものであり、複数のサーミスタのいずれか、又は複数個が断線しても検出できるという作用を有する。
【０００９】
以下、本発明の一実施の形態について、図１から図３を用いて説明する。
（実施の形態１）
図１は本発明の第１の実施の形態における電熱器具の構成を示した回路図であり、図１において、１は電源であり、温度検出部Ａはサーミスタ２と抵抗３が直列接続されて構成されている。また断線検出回路Ｂは、抵抗６と抵抗７で分割する電圧を反転入力とし、温度検出部Ａの出力電圧ＶＡを非反転入力電圧とする比較器８を有し、比較器８の出力端に抵抗１０を介して温度記憶部Ｃのコンデンサ１７に接続されるように構成されている。さらに、温度記憶部Ｃは、抵抗１１と抵抗１２で分割する電圧を非反転入力とし、温度検出部Ａの出力電圧ＶＡを反転入力電圧とする比較器１３と、比較器１３の出力端に抵抗１４を電源１側に接続するとともに、整流器１５のアノード側に接続し、前記整流器１５のカソード側を、電源１に接続されたロックしない押しボタンスイッチである開始スイッチ１６とコンデンサ１７を直列接続した中点に接続し、前記整流器１５のカソード側を温度制御装置３１の入力とするように構成されている。また温度設定部Ｄは、抵抗１８と抵抗１９で分割する電圧を非反転入力とし、温度検出部Ａの出力電圧ＶＡを反転入力電圧とする比較器２０と比較器２０の出力端に抵抗２１を接続し、前記抵抗２１を介して前記温度記憶部Ｃの開始スイッチ１６とコンデンサ１７を直列接続した中点に接続するように構成されている。なお前記温度記憶部Ｃの出力で、温度制御装置３１への通電を行っている。
【００１０】
図２は温度制御装置への出力特性図を示す。図２において、温度検出部Ａのサーミスタ２と抵抗３の分圧回路による実用温度範囲をＴＡからＴＡ’とすると、温度記憶部Ｃの抵抗１１と１２の分圧回路による記憶温度ＴＣと、温度設定部Ｄの抵抗１８と１９の分圧回路による設定温度ＴＤは実用温度範囲ＴＡからＴＡ’の範囲内となり、また断線検出回路Ｂの抵抗６と７の分圧回路による断線検出温度ＴＢは実用温度範囲ＴＡからＴＡ’の範囲外の低温側となる。
【００１１】
以上のように構成された電熱器具として、電気ポットの動作を以下に説明する。負荷３２は、水である。実用温度範囲ＴＡからＴＡ’は０℃から沸騰までの１００℃である。ここで記憶温度ＴＣを８０℃とする。断線検出温度ＴＢは実用温度範囲ＴＡからＴＡ’の範囲外の例えば−２０℃とする。
【００１２】
はじめに、ロックしない押しボタンスイッチである開始スイッチ１６をオンするとコンデンサ１７は電源電圧１まで充電され温度制御装置３１の入力へのしきい値より大きな電圧（“Ｈ”）になり通電を開始し水温が上昇する。湯温が記憶温度ＴＣまで、電源に接続された抵抗１４と整流器１５を介してコンデンサ１７は充電を続け湯温が上昇を継続する。負荷３２の湯温が記憶温度ＴＣである８０℃を超えると、比較器１３の反転入力側の電圧が非反転入力側の電圧より高くなり、コンデンサ１７への充電はオフする。コンデンサ１７への充電はオフするが、コンデンサ１７の電圧が温度制御装置３１のしきい値電圧より高いため温度制御装置３１への通電を継続する。
【００１３】
更に湯温が記憶温度ＴＤの９５℃を超えると比較器２０の反転入力側の電圧が非反転入力側の電圧より高くなり、比較器２０の出力は”Ｈ”から”Ｌ”になり、コンデンサ１７の電圧は抵抗２１を介して放電する。コンデンサ１７の電圧が温度制御装置３１のしきい値電圧より低くなると温度制御装置３１への通電を停止する。
【００１４】
この電気ポットのいずれの動作状態でも、サーミスタ２が断線すると比較器８の反転入力側の電圧が非反転入力側の電圧より高くなり、比較器８の出力は”Ｈ”から”Ｌ”になり、コンデンサ１７の電圧は抵抗１０を介してすぐ放電し、温度制御装置３１への通電を停止する。サーミスタ２が断線すると開始スイッチ１６をオンしてもコンデンサ１７へは充電されることはなく、温度制御装置３１へ通電することはない。
【００１５】
従ってサーミスタ２が断線した場合、実用温度範囲ＴＡからＴＡ’の範囲外で断線検出しているので、温度制御装置３１への通電を完全に停止するので安全な電熱器具が提供できる。
【００１６】
（実施の形態２）
図３は本発明の第２の実施の形態における電熱器具の構成を示した回路図であり、サーミスタが複数個の場合を示す。なお、第１の実施の形態と同一の構成については、同一番号を付してその説明を省略する。
【００１７】
図において、サーミスタ２と抵抗３を直列接続した温度検出部Ａで水温を検出し、サーミスタ４と抵抗５を直列接続した温度検出部Ｅで沸騰時の蒸気を検出する。サーミスタ４で蒸気を専用に検出することで、高地の気圧の低い所でも確実に沸騰させることが出来るという長所がある。抵抗６と抵抗７で分割する電圧を反転入力とし、温度検出部Ａの出力電圧ＶＡを整流器２２のカソードに接続し、整流器２２のアノードを非反転入力とする。温度検出部Ｅの出力電圧ＶＥを整流器２３のカソードに接続し、整流器２３のアノードを非反転入力とする比較器８と、比較器８の出力端に抵抗１０を接続した構成の断線検出回路Ｂを有し、複数のサーミスタのいずれか（又は複数）が断線すると、例えば、サーミスタ２が断線すると比較器８の反転入力側の電圧が非反転入力側の電圧より高くなり、比較器８の出力は”Ｈ”から”Ｌ”になり、コンデンサ１７の充電された電圧は抵抗１０を介してすぐ放電し、温度制御装置３１への通電を停止する。再度開始スイッチ１６をオンしてもコンデンサ１７へは充電されることはなく、温度制御装置３１へ通電することはない。
【００１８】
従って複数のサーミスタのいずれが断線しても、実用温度範囲ＴＡからＴＡ’の範囲外で断線検出し温度制御装置３１への通電を完全に停止するので安全な電熱器具が提供できる。また複数のサーミスタを有する温度検出部に対し、前記断線検出回路を、１個の比較器で構成でき安価に出来る。
【００１９】
【発明の効果】
以上のように本発明によれば、温度検出部と、温度設定を記憶する温度記憶部と、前記温度記憶部に別の温度設定部が並列に接続され、前記サーミスタ断線時に前記温度記憶部の記憶を解除する断線検出回路とを備えることで、断線検出回路が働いた場合温度制御範囲外で働き温度制御装置への通電は停止される。
【００２０】
また複数のサーミスタを有する温度検出部に対し、断線検出回路を１個の比較器で構成しても同じ効果が得られる。さらに同じ特性（正特性、負特性）のサーミスタ同士でも、異なる特性のサーミスタでも確実にサーミスタの断線検出が可能であり、安全な電熱器具が提供できるという効果が得られる。
【図面の簡単な説明】
【図１】本発明の第１の実施の形態における電熱器具の構成を示す回路図
【図２】同実施の形態における温度制御装置への出力特性図
【図３】本発明の第２の実施の形態における電熱器具の構成を示す回路図
【図４】従来の電熱器具の構成を示す回路図
【図５】同従来例における温度制御装置への出力特性図
【符号の説明】
１  直流電源
２，４  サーミスタ
８，１３，２０  比較器
１５，２２，２３  整流器
１６  開始スイッチ
１７  コンデンサ
３１  温度制御装置
３２  負荷
Ａ，Ｅ  温度検出部
Ｂ  断線検出回路
Ｃ  温度記憶部
Ｄ  温度設定部
【図１】
0003653935.tif 000002
【図２】
0003653935.tif 000003
【図３】
0003653935.tif 000004
【図４】
0003653935.tif 000005
【図５】
0003653935.tif 000006